(57)【要約】【課題】うちわを組み立てる展開シートを切り取りでき販促品としても使用できる厚紙シートを提供する。【解決手段】切り取ってうちわを製作できるうちわ展開シートの形状を厚紙シート上に印刷形成する。うちわの扇ぎ面は広面形状に、中央柄は扇ぎ面の下部中央から下方に突出させる。中央柄の両側に折り目を介して中央柄と同じ横幅で右補強柄、左補強柄を連設し、右補強柄における折り目に対向する側線を折り目として中央柄と同じ横幅の第２の右補強柄を連設する。左右の補強柄の上部側縁は上方へ凸状に突出させ、第２の右補強柄の上縁には円弧凸状の略扇形で円弧両端と第２の右補強柄の側縁上端との間が中央柄の側縁上端から斜め上外方に拡がって延びる扇ぎ面の側縁と同形状に形成した補強片を延設する。各折り目を全て山折りに左補強柄、右補強柄、第２の右の補強柄の順に中央柄に折り重ねて接着固定する。【選択図】図１
0003163910.tif 000002
【実用新案登録請求の範囲】
【請求項１】
紙製うちわを組み立てるうちわ展開シートを切り取りできるようにした厚紙シートであって、
前記厚紙シート上には前記うちわ展開シートの形状が印刷してあり、
切り取った前記うちわ展開シートにより形成される紙製うちわは広面形状に形成された扇ぎ面とそれに連なる柄で形成され、該柄は前記扇ぎ面の下部中央を手で握り得る横幅で下方に突出させて形成した中央柄と、該中央柄の両側に折り目を介して中央柄と同じ横幅で連設した右補強柄、左補強柄と、一方である右補強柄における前記折り目に対向する側線を折り目として中央柄と同じ横幅で連設した第２の右補強柄とからなり、前記左右の補強柄は上部側縁が上方へ凸状に突出した形状に形成され、前記第２の右補強柄の上縁には円弧凸状の略扇形であって円弧両端と第２の右補強柄の側縁上端との間が前記中央柄の側縁上端から斜め上外方に拡がって延びる前記扇ぎ面の側縁と同形状に形成された補強片が延設されており、前記各折り目を全て山折りにして左補強柄、右補強柄、第２の右補強柄の順に中央柄に折り重ねて接着固定して形成されるようにしてあることを特徴とする厚紙シート。
【請求項２】
請求項１に記載の厚紙シートにおいて、切り取った前記うちわ展開シートにより形成される紙製うちわは、前記左側補強柄にも折り目を介して第２の右補強柄と同形状の第２の左補強柄を連設し、前記中央柄の右側に位置する二つの折り目は山折り、中央柄の左側に位置する二つの折り目は谷折りにして右補強柄、左補強柄、第２の右補強柄、第２の左補強柄の順に中央柄に折り重ねて接着固定して形成されるようにしてあることを特徴とする厚紙シート。
【請求項３】
請求項１又は２に記載の厚紙シートにおいて、前記うちわ展開シートの輪郭線に沿っては断続した切り目が形成してあり、該切り目に沿って前記うちわ展開シートを厚紙シートから切り離せるようにしてあることを特徴とする厚紙シート。
【考案の詳細な説明】
【技術分野】
【０００１】
本考案は、折曲、貼り付けにより総紙製うちわを製作できるうちわ展開シートを切り取れるようにした例えばＡ４サイズの厚紙シートに関する。
【背景技術】
【０００２】
暑い時期に街頭やスポーツ、祭り等の催し物会場において広告宣伝のためのうちわが無料配布されることがある。こうしたうちわには安価に量産できる紙製うちわが多く採用される。しかし、紙製うちわとして組み立て済みのうちわは広告宣伝にはよくても、もらう側には面白みに欠ける。組み立て済みではなく、もらった側がうちわに組み立てるものであればペーパークラフトのうちわ製作ができて楽しみが増す。また、組み立て済みの紙製うちわは、その形状から広告宣伝用の新聞折り込みや雑誌の付録とするには都合が悪い。こうした理由から、例えばＡ４サイズで新聞折り込みや雑誌の付録等に使用でき、配布を受けた側が紙製うちわを組み立てるうちわ展開シートを切り取りできてペーパークラフトのうちわ製作を楽しめるようにした厚紙シートが求められる。
【０００３】
また、紙製うちわには扇ぎ面と柄の接続部分の強度を如何に確保するかが課題になる。例えば、特許文献１には、扇ぎ面の下部中央を下へ突出させて中央柄を設け、その両側へ補強板を隣接して設けてそれを折り重ねて接着固定して重なり域を設け、重なり域より上に突出させた突出域を接着固定して補強した紙うちわが提案されている。しかし、この紙うちわの場合、柄部分は厚紙の３枚重ねで剛性が十分とはいえず、突出域も厚紙の２枚重ねで強度が十分確保されているとは言い難い。
【０００４】
また、特許文献２には、等しい形状の二枚重ねの板紙で構成した柄の把持部の上端に側縁が把持部の側縁から円弧凸状に斜め外上方に拡がって延びる把持部の横幅よりも大きな横幅を有する接続部を連続形成し、二枚の接続部間に扇ぎ面の基部を挟み込んで相互に固着した紙製うちわが提案されている。しかし、この紙製うちわの場合、扇ぎ面と柄とを別々に製作してから組み立てるため製作に手間がかかる問題がある。
【先行技術文献】
【特許文献】
【０００５】
【特許文献１】特開平０８−３２２６２３号公報
【特許文献２】特開２００３−７０５１５号公報
【考案の開示】
【考案が解決しようとする課題】
【０００６】
本考案は、従来技術のこうした問題点を解決するためになされたもので、その課題は、例えばＡ４サイズで新聞折り込みや雑誌の付録等に使用でき、受け取った側がそこから紙製うちわを組み立てるうちわ展開シートを切り取って扇ぎ面と柄の接続部分の強度が十分に確保されたペーパークラフトのうちわを製作できるようにした厚紙シートを提供することにある。
【課題を解決するための手段】
【０００７】
前記課題を解決するための請求項１に記載の考案は、紙製うちわを組み立てるうちわ展開シートを切り取りできるようにした厚紙シートであって、厚紙シート上にはうちわ展開シートの形状が印刷してあり、切り取ったうちわ展開シートにより形成される紙製うちわは広面形状に形成された扇ぎ面とそれに連なる柄で形成され、該柄は扇ぎ面の下部中央を手で握り得る横幅で下方に突出させて形成した中央柄と、該中央柄の両側に折り目を介して中央柄と同じ横幅で連設した右補強柄、左補強柄と、一方である右補強柄における折り目に対向する側線を折り目として中央柄と同じ横幅で連設した第２の右補強柄とからなり、左右の補強柄は上部側縁が上方へ凸状に突出した形状に形成され、第２の右補強柄の上縁には円弧凸状の略扇形であって円弧両端と第２の右補強柄の側縁上端との間が中央柄の側縁上端から斜め上外方に拡がって延びる扇ぎ面の側縁と同形状に形成された補強片が延設されており、前記各折り目を全て山折りにして左補強柄、右補強柄、第２の右補強柄の順に中央柄に折り重ねて接着固定して形成されるようにしてあることを特徴とする厚紙シートである。
【０００８】
このような紙製うちわを製作できる厚紙シートは、例えばＡ４サイズに製作し、表面に広告を印刷して新聞折り込みや雑誌の付録等として配布する販促品として活用できる。配布を受けた側は厚紙シートからうちわ展開シートを切り取ってペーパークラフトのうちわ製作を楽しむことができる。製作されるうちわの柄は４枚の厚紙を折り重ねて接着固定した構造になるため十分な強度を有する。扇ぎ面と柄の境界部は円弧凸状の略扇形補強片と２枚の凸状突出部により補強されて十分な強度を有する。従って、十分な実用性を備える。
【０００９】
また、請求項２に記載の考案は、請求項１に記載の厚紙シートにおいて、切り取ったうちわ展開シートにより形成される紙製うちわは、左側補強柄にも折り目を介して第２の右補強柄と同形状の第２の左補強柄を連設し、中央柄の右側に位置する二つの折り目は山折り、中央柄の左側に位置する二つの折り目は谷折りにして右補強柄、左補強柄、第２の右補強柄、第２の左補強柄の順に中央柄に折り重ねて接着固定して形成されるようにしてあることを特徴とする厚紙シートである。
【００１０】
このような紙製うちわを製作できる厚紙シートは、例えばＡ４サイズに製作し、表面に広告を印刷して新聞折り込みや雑誌の付録等として配布する販促品として活用できる。配布を受けた側は厚紙シートからうちわ展開シートを切り取ってペーパークラフトのうちわ製作を楽しむことができる。製作されるうちわの柄は５枚の厚紙を折り重ねて接着固定した構造になるため十分な強度を有する。扇ぎ面と柄の境界部も略扇形補強片と凸状突出部により補強されて十分な強度を有する。従って、十分な実用性を備える。
【００１１】
また、請求項３に記載の考案は、請求項１又は２に記載の厚紙シートにおいて、うちわ展開シートの輪郭線に沿っては断続した切り目が形成してあり、該切り目に沿ってうちわ展開シートを厚紙シートから切り離せるようにしてあることを特徴とする厚紙シートである。
【００１２】
このような構成にしておけば、はさみを使用しなくもうちわ展開シートを厚紙シートから容易に切り離すことができる。
【図面の簡単な説明】
【００１３】
【図１】第１の実施形態に係る厚紙シート１である。
【図２】厚紙シート１から切り取った紙製うちわ２用のうちわ展開シート３である。
【図３】完成した紙製うちわ２の正面図である。
【図４】完成した紙製うちわ２の背面図である。
【図５】第２の実施形態に係る厚紙シート１ａである。
【図６】厚紙シート１ａから切り取った紙製うちわ２ａ用のうちわ展開シート３ａである。
【図７】完成した紙製うちわ２ａの正面図である。
【図８】うちわ展開シート３ｂの輪郭線に沿って断続した切り目２０を形成した厚紙シート１ｂである。
【考案を実施するための形態】
【００１４】
以下、紙製うちわを製作できるうちわ展開シートを切り取りできるようにしてある厚紙シートの実施形態を形態別に説明する。
（第１の実施形態）
図１は紙製うちわ２を組み立てられるうちわ展開シート３が印刷された第１の実施形態に係る厚紙シート１の外観図、図２は切り取ったうちわ展開シート３の外形図、図３は完成した紙製うちわ２の正面図、図４は完成した紙製うちわ２の背面図である。厚紙シート１に印刷されているうちわ展開シート３の輪郭線に沿ってはさみで取り離すと図２に示すようなうちわ展開シート３が得られる。うちわ展開シート３内に引いた破線は折り目線であり、後述するように折り目線で折り曲げて接着固定することで図３、図４に示す紙製うちわ２を製作できる。
【００１５】
うちわ展開シート３は図２に示すように、風を起こす扇ぎ面４が略円形の広面形状に形成されている。扇ぎ面４の下部中央からは下方に向けて中央柄６が突出して形成してある。中央柄６は手で握り得る横幅で、見栄えと握り易さを考慮して先に向けて少し幅狭になるように形成してある。
【００１６】
中央柄６の両側には、右折り目線７ａ、左折り目線７ｂを挟んでそれぞれ右補強柄８ａ、左補強柄８ｂが連設してある。右補強柄８ａと左補強柄８ｂの横幅は中央柄６と同じにしてあり、上部側縁は上方へ凸状に突出した形状に形成してある。
【００１７】
更に、右補強柄８ａの右側には第２の右折り目線９ａを挟んで第２の右補強柄１０ａが連設してある。第２の右補強柄１０ａの横幅も中央柄６と同じにしてある。そして第２の右補強柄１０ａの上縁には円弧凸状の略扇形補強片１２ａが延設してある。略扇形の円弧両端と第２の右補強柄１０ａの側縁上端との間は、中央柄６の側縁上端から斜め上外方に拡がって延びる扇ぎ面４の側縁と同形状に形成してある。
【００１８】
このうちわ展開シート３を用いてうちわ２を組み立てるには、最初に左折り目線７ｂを山折りして左補強柄８ｂを中央柄６の背面に折り重ねる。次に、右折り目線７ａを山折りして折り重ねた左補強柄８ｂの上に折り重ねる。最後に第２の右折り目線９ａを山折りし、中央柄６、左補強柄８ｂを間に挟んだ状態で第２の右補強柄１０ａを中央柄６の正面に折り重ねる。左補強柄８ｂ、右補強柄８ａ、第２の右補強柄１０ａの折り重ね内面には予め接着剤を塗布しておき、折り重ねた状態で接着固定させる。
【００１９】
図３はこのようにして組み立てた完成品の正面図であり、最後に折り重ねた第２の右補強柄１０ａが表面に表れている。第２の右補強柄１０ａの上縁に延設した円弧凸状の略扇形補強片１２ａは、扇ぎ面４の下部に重なった状態になる。図４は完成品の背面図で、右補強柄８ａが表面に表れている。なお、右補強柄８ａは左補強柄８ｂを内側に、第２の右補強柄１０ａは左補強柄８ｂと中央柄６を内側に挟んだ状態で折り畳む必要があるため、右折り目線７ａは厚紙１枚、第２の右折り目線９ａは厚紙２枚を内側に挟み込めるだけの幅をもたせて形成してある。
【００２０】
このような構成の紙製うちわ２を製作できる厚紙シート１は、例えばＡ４サイズに製作し、表面に広告を印刷して新聞折り込みや雑誌の付録等として配布する販促品として使用できる。配布を受けた側は厚紙シート１からうちわ展開シート３を切り取ってペーパークラフトのうちわ製作を楽しむことができる。また、製作されるうちわ２の柄５は４枚の厚紙を折り重ねて接着固定した構造になるため十分な強度を有する。扇ぎ面４と柄５の境界部は円弧凸状の略扇形補強片１２ａと２枚の凸状突出部により補強されて十分な強度を有する。従って、十分な実用性を備える。
【００２１】
（第２の実施形態）
図５は紙製うちわ２ａを組み立てられるうちわ展開シート３ａが印刷された第２の実施形態に係る厚紙シート１ａの外観図である。本実施形態の厚紙シート１ａから切り取ったうちわ展開シート３ａが第１の実施形態のうちわ展開シート３と相違する点は、図６に示すように左補強柄８ｂの左側に第２の左折り目線９ｂを挟んで第２の右補強柄１０ａと同形状の第２の左補強柄１０ｂが連設してある点にある。第２の左補強柄１０ｂの上縁には第２の右補強柄１０ａと同じように円弧凸状の略扇形補強片１２ｂが延設してある。
【００２２】
このうちわ展開シート３ａを用いてうちわ２ａを組み立てる際は、中央柄６より右側に位置する右折り目線７ａ、第２の右折り目線９ａは例えば山折りとし、中央柄６の左側に位置する左折り目線７ｂ、第２の左折り目線９ｂは反対に谷折りとする。折り畳む順序は、最初に右補強柄８ａを山折りで中央柄６の背面側に重ね、次に左補強柄８ｂを谷折りで中央柄６の正面側に重ねる。続いて第２の右補強柄１０ａを山折りで左補強柄８ｂの上に重ね、最後に第２の左補強柄１０ｂを谷折りで右補強柄８ａの上に重ねる。各補強柄の折り重ね内面には予め接着剤を塗布しておき、折り重ねた状態で接着固定させる。このようにして組み立てた完成品の正面図、背面図は共に図７に示したようになる。
【００２３】
このような紙製うちわ２ａを製作できる厚紙シート１ａは、例えばＡ４サイズに製作し、表面に広告を印刷して新聞折り込みや雑誌の付録等として配布する販促品として使用できる。配布を受けた側は厚紙シート１ａからうちわ展開シート３ａを切り取ってペーパークラフトのうちわ製作を楽しむことができる。また、製作されるうちわ２ａの柄５は５枚の厚紙を折り重ねて接着固定した構造になるため十分な強度を有する。扇ぎ面４と柄５の境界部も略扇形補強片１２ａ、１２ｂと２枚の凸状突出部により補強されて十分な強度を有する。従って、十分な実用性を備える。
【００２４】
なお、第２の右補強柄１０ａは左補強柄８ｂと中央柄６を、第２の左補強柄１０ｂは右補強柄８ａと中央柄６をそれぞれ内側に挟んだ状態で折り畳む必要があるため第２の右折り目線９ａ、第２の左折り目線９ｂは厚紙２枚を内側に挟み込めるだけの幅をもたせて形成してある。
【００２５】
（変形実施形態）
前記第１、第２の実施形態における厚紙シート１、１ａでは、紙製うちわ２、２ａを組み立てるためのうちわ展開シート３、３ａの外形図をシート上に印刷で形成した。このため、うちわ展開シート３、３ａを輪郭線に沿って取り離すにははさみを必要とし、催し物会場で配布を受けた場合にははさみが無いためその場で組み立てできない。
【００２６】
この問題を解決するためにはうちわ展開シート３、３ａの輪郭線に沿って断続した切り目を形成し、その切り目に沿ってうちわ展開シート３、３ａを手で切り離せるようにしておくとよい。図８は、そのような断続した切り目２０をうちわ展開シート３ｂの輪郭線に沿って設けた例である。うちわ展開シート３ｂと厚紙シート１ｂの周辺部とは所々に設けた切り目２０のない細幅の接続部２１でのみ繋がっている。その細幅の接続部２１は手で破ることができるので、はさみを用いることなくうちわ展開シート３ｂを切り離すことができる。加えて、接着を必要とする部分には粘着層を形成し、剥離紙を貼り付けておくと簡単に組み立てられる。
【符号の説明】
【００２７】
図面中、１、１ａ、１ｂは厚紙シート、３、３ａ、３ｂは紙製うちわ、４は扇ぎ面、５は柄、６は中央柄、７ａ、７ｂ、９ａ、９ｂは折り目、８ａは右補強柄、８ｂは左補強柄、１０ａは第２の右補強柄、１０ｂは第２の左補強柄、１２ａ、１２ｂは略扇形補強片、２０と切り目を示す。
【図１】
0003163910.tif 000003
【図２】
0003163910.tif 000004
【図３】
0003163910.tif 000005
【図４】
0003163910.tif 000006
【図５】
0003163910.tif 000007
【図６】
0003163910.tif 000008
【図７】
0003163910.tif 000009
【図８】
0003163910.tif 000010